(57)【特許請求の範囲】
【請求項１】
可撓性を有するシート状の光ディスクを回転させる回転駆動手段と、光ディスクの記録面とは反対面側に設置され、少なくとも光ディスクにおける書込あるいは読取が行われる部位における回転軸方向の振れを、空気流の圧力差を生起させることによって安定化させる安定化手段とを備え、この安定化手段として光ディスク方向に突出する突出部材を用いた光ディスク駆動安定化装置であって、
前記突出部材と光ディスクとの接触圧力を感知する感知手段と、この感知手段により、あらかじめ設定されている閾値以上の接触圧力が感知された場合に、前記突出部材を光ディスク面から退避させる退避手段とを備えたことを特徴とする光ディスク駆動安定化装置。
【請求項２】
前記突出部材を、光ディスクの中心から外周方向へ移動させる移動手段を備えたことを特徴とする請求項１記載の光ディスク安定化装置。
【請求項３】
前記突出部材を複数個設置したことを特徴とする請求項１または２記載の光ディスク駆動安定化装置。
【請求項４】
光ディスクの回転速度を検出する回転速度検出手段と、安定化状態を構成する光ディスクの回転速度に対応する光ディスクと安定化部材との距離の関連情報を記憶する記憶手段と、前記突出部材と光ディスクとの相対的距離を変化させる距離変化手段とを備えたことを特徴とする請求項１〜３いずれか１項の光ディスク安定化装置。
【請求項５】
前記突出部材における光ディスクに向かう方向に中空部を形成したことを特徴とする請求項１〜４いずれか１項記載の光ディスク安定化装置。
【請求項６】
可撓性を有するシート状の光ディスクを回転させる回転駆動手段と、光ディスクの記録面に対して光学的に書込および／または読取を行う光ピックアップと、光ディスクの記録面とは反対面側に設置され、少なくとも光ディスクにおける書込あるいは読取が行われる部位における回転軸方向の振れを、空気流の圧力差を生起させることによって安定化させる安定化手段とを備え、この安定化手段として光ディスク方向に突出する突出部材を具備した光ディスク駆動安定化手段を備えた光ディスク装置であって、前記光ディスク駆動安定化装置として請求項１〜５いずれか１項記載の光ディスク駆動安定化装置を搭載したことを特徴とする光ディスク装置。
【発明の詳細な説明】
【０００１】
【発明の属する技術分野】
本発明は、可撓性を有するシート状の光学的情報記録媒体である光ディスクを回転駆動させる際に、その回転軸方向の振れを、空気流の圧力差を生起させることによって安定化させる光ディスク駆動安定化装置、および、その光ディスク駆動安定化装置を搭載して光ディスクの記録面に対して光学的に書込および／または読取を行う光ディスク装置に関する。
【０００２】
【従来の技術】
近年、テレビ放送のデジタル化が始まるなど、大容量のデジタルデータを記録することが光ディスクに求められている。光ディスクの高密度化に対応するための手法のうち、基本的な方法は記録／再生のための光スポット径を小さくすることである。このため、記録／再生のために用いられる光の波長を短く、かつ対物レンズの開口数ＮＡを大きくすることが有効である。光の波長についてはＣＤ（compact disk）では近赤外光の７８０ｎｍ、ＤＶＤ（digital versatile disk）では赤色光の６５０ｎｍ近傍の波長が用いられている。最近、青紫光の半導体レーザが開発され、今後は４００ｎｍ近傍のレーザ光が使用されると予想される。
【０００３】
また、対物レンズについては、ＣＤ用はＮＡ０.５未満であったが、ＤＶＤ用はＮＡ０.６程度である。今後、さらに開口数（ＮＡ）を大きくしてＮＡ０.７以上とすることが求められる。
【０００４】
しかし、対物レンズのＮＡを大きくすること、および光の波長を短くすることは、光を絞るときに収差の影響が大きくなることでもある。したがって、光ディスクのチルトに対するマージンが減ることになる。また、ＮＡを大きくすることによって焦点深度が小さくなるため、フォーカスサーボ精度を上げなくてはならない。
【０００５】
さらに、高ＮＡの対物レンズを使用することによって、対物レンズと光ディスクの記録面との距離が小さくなってしまうため、光ディスクの面ぶれを小さくしておかないと、始動時のフォーカスサーボを引き込む直前、対物レンズと光ディスクとが衝突することがあり、ピックアップの故障の原因となる。
【０００６】
短波長，高ＮＡの大容量光ディスクとして、例えばＯ ＰＬＵＳ Ｅ（ｖｏｌ．２０ Ｎｏ.２）の１８３ページに示されているように、ＣＤと同程度に厚く剛性の大きい基板に記録膜を成膜し、記録／再生用の光を基板を通さずに、薄いカバー層内を通して記録膜に対して記録／再生する構成のシステムが提案されている。
【０００７】
また、例えば特開平７−１０５６５７号公報,特開平１０−３０８０５９号公報に記載されているように、平面をもつ安定化板上で可撓性を有する光ディスクを回転させて、ベルヌーイの法則による空気力を利用して光ディスクにおける面ぶれを安定化させようとする方法が知られている。
【０００８】
また、本件出願人は、特願２００１−２２８９４３号などにおいて、可撓性を有するシート状の光ディスクの回転駆動時、少なくとも光ディスクにおける書込あるいは読取が行われる部位における回転軸方向の振れをベルヌーイの法則に基づく空気流の圧力差によって安定化させる安定化手段を備えることを提案した。
【０００９】
【発明が解決しようとする課題】
しかしながら、前記従来の技術において、光ディスクの基板を剛体で形成すると、回転する光ディスクにおける面ぶれ,チルトを小さくするためには、きわめて正確な成形をし、かつ熱変形が生じないように低温で記録膜を成膜しなければならない。このことは、光ディスク製造に係るタクトタイムを長くすることになり、コストを上げる原因となる。
【００１０】
また、変形する複雑な形状の可撓性を有する光ディスクと安定化手段間における空気流の圧力分布は、単純なベルヌーイの法則の適用では求めることができず、正確な流体計算をして光ディスクを安定化させるために適切な安定化手段の形状を求めなければならないという問題もある。
【００１１】
また、安定化手段により光ディスクに作用する反発力（圧力）は、主に両者間の間隙寸法とディスク回転速度とで決まるが、光ディスクの半径方向については、ディスク回転速度が線形に変化するため安定化条件が異なることになる。しかし、この安定化条件を仔細に設定しても、時として生じる異常振動には対応することができず、安定化手段と光ディスクとが当接するおそれはある。
【００１２】
本発明の目的は、従来の課題を解決し、可撓性を有する光ディスクと安定化手段とが接触して損傷を生じることを防止し、安定して光ディスクを駆動させることができる光ディスク駆動安定化装置、および光ディスク装置を提供することにある。
【００１３】
【課題を解決するための手段】
前記目的を達成するため、請求項１に記載の発明は、可撓性を有するシート状の光ディスクを回転させる回転駆動手段と、光ディスクの記録面とは反対面側に設置され、少なくとも光ディスクにおける書込あるいは読取が行われる部位における回転軸方向の振れを、空気流の圧力差を生起させることによって安定化させる安定化手段とを備え、この安定化手段として光ディスク方向に突出する突出部材を用いた光ディスク駆動安定化装置であって、前記突出部材と光ディスクとの接触圧力を感知する感知手段と、この感知手段により、あらかじめ設定されている閾値以上の接触圧力が感知された場合に、前記突出部材を光ディスク面から退避させる退避手段とを備えたことを特徴とし、この構成によって、異常振動などによって光ディスクと突出部材とが接触して破損を生じることを防ぐことができ、可撓性を有するシート状の光ディスクを安定した状態で回転駆動させることができる。
【００１４】
請求項２に記載の発明は、請求項１記載の光ディスク安定化装置において、突出部材を、光ディスクの中心から外周方向へ移動させる移動手段を備えたことを特徴とし、この構成によって、安定化部材により光ディスクにおける任意の面において安定化をはかることができる。
【００１５】
請求項３に記載の発明は、請求項１または２記載の光ディスク駆動安定化装置において、突出部材を複数個設置したことを特徴とする。この構成によって、面ぶれの少ない安定化する領域が複数箇所になるため、安定化状態を向上させることができ、また設計の自由度が増加することになる。
【００１６】
請求項４に記載の発明は、請求項１〜３いずれか１項の記載の光ディスク安定化装置において、光ディスクの回転速度を検出する回転速度検出手段と、安定化状態を構成する光ディスクの回転速度に対応する光ディスクと安定化部材との距離の関連情報を記憶する記憶手段と、前記突出部材と光ディスクとの相対的距離を変化させる距離変化手段とを備えたことを特徴とし、この構成によって、光ディスクの全面において光ディスクと安定化部材との距離を、光ディスクを安定化させるに適切な距離に保つことが可能になる。
【００１７】
請求項５に記載の発明は、請求項１〜４いずれか１項記載の光ディスク安定化装置において、突出部材における光ディスクに向かう方向に中空部を形成したことを特徴とし、この構成によって、本来であれば負圧が生じる突出部材の領域が大気に開放されることになり、光ディスクと突出部材間の反発力を増加させ、光ディスクがより安定する。
【００１８】
請求項６に記載の発明は、可撓性を有するシート状の光ディスクを回転させる回転駆動手段と、光ディスクの記録面に対して光学的に書込および／または読取を行う光ピックアップと、光ディスクの記録面とは反対面側に設置され、少なくとも光ディスクにおける書込あるいは読取が行われる部位における回転軸方向の振れを、空気流の圧力差を生起させることによって安定化させる安定化手段とを備え、この安定化手段として光ディスク方向に突出する突出部材を具備した光ディスク駆動安定化手段を備えた光ディスク装置であって、前記光ディスク駆動安定化装置として請求項１〜４いずれか１項記載の光ディスク駆動安定化装置を搭載したことを特徴とし、この構成によって、異常振動などによって光ディスクと突出部材とが接触して破損を生じることを防ぐことができるなど、可撓性を有するシート状の光ディスクを安定した状態で回転駆動させることができるため、光ディスクの記録面に対する書込および／または読取が安定して行われることになる。
【００１９】
【発明の実施の形態】
以下、本発明の好適な実施形態について図面を参照しながら説明する。
【００２０】
図１は本発明に係る光ディスク駆動安定化装置の実施形態を説明するための基本構成を示す説明図であり、１は可撓性を有する光ディスクシート、２は、光ディスクシート１の面ぶれを、後述するベルヌーイの法則に基づき発生する空気圧により安定化させる安定化手段としての突出部材、３は光ディスクシート１の回転速度を検出する光ディスク回転速度検出装置、４は光ディスクシート１の安定化状態の条件データを記憶する記憶手段である安定化状態記憶装置、５は安定化状態記憶装置４からのデータを受けて安定化状態を演算して設定するための安定化状態演算装置、６は設定された安定化状態に基づいて突出部材２におけるディスク回転軸Ｙ方向の高さ位置を調整する距離変化手段としての突出部材高さ調整装置である。
【００２１】
図１に示すように、可撓性を有する光ディスクシート１に対して、突出部材２を近接させると、近接領域において正圧と負圧が生じ、光ディスクシート１が歪む。流体である空気が発生する静圧と、光ディスクシート１の変形が戻ろうとする力の釣り合いによって、全体として安定化する。しかし、ディスク回転速度が変化すると、突出部材２の下端において発生する圧力分布が変化し、安定化状態は失われる場合がある。安定化条件は突出部材２の形状、あるいは光ディスクシート１の物性、あるいはディスク回転速度などによって決まる。
【００２２】
そこで、あらかじめこれらのパラメータの安定化条件を実験あるいは数値シミュレーションなどを行うことによって定めておき、安定化状態記憶装置４に記憶させておく。安定化状態を規定する必要十分なパラメータとは、例えば光ディスクシート１の材料物性値（ヤング率，ポアソン比，密度）、突出部材２の最先端位置からディスク表面までのギャップ、光ディスクシート１が安定化する回転速度である。なお、光ディスクシート１の表面は、光ディスクシート１の回転による遠心力，重力，突出部材２から受ける空気圧力により複雑に３次元的に歪む。
【００２３】
図２は図１の装置における側面一部を示す説明図である。突出部材２とディスク表面間におけるギャップの最短距離は必ずしもガイド最先端位置を通るとは限らない。しかし、光ディスクシート１を回転駆動させるスピンドルモータの回転軸７に対して平行に、突出部材２の最先端位置ａを通る直線と、光ディスクシート１表面との交点ｂとの距離をもってギャップ長としても、安定化状態が一義的に決定することができるので、ここでは便宜的にその値をもって、安定化状態を規定することとする（この便宜的な値のことを最近接距離Ｘという）。前記最近接距離Ｘであれば、例えば回転軸１５方向に平行に規定されたレーザ干渉計をもって距離計測を行うことも容易である。
【００２４】
また突出部材高さ調整装置６は、適切な最近接距離Ｘに突出部材２を設置するために、突出部材２のある規定面からの位置からの距離（以下、規定高さ距離という）を制御する。ある規定面とは任意ではあり、例えば回転していない状態の光ディスクシート１の表面を基準として利用される。しかし、あらかじめ前記レーザ干渉計などを用いて計測された最近接距離Ｘと規定高さ距離を一義的に変換可能なテーブルを作成しておく必要がある。実際には、この規定高さ距離をもって、安定化を制御することが望ましい。
【００２５】
安定化状態記憶装置４は、例えば本光ディスク駆動安定化装置を搭載する光ディスク装置に装備される半導体記憶装置などからなる。光ディスクシート１の回転速度は動作状態によって変化するが、その回転速度は光ディスク回転速度検知装置３によって検知され、その情報が安定化状態演算装置５に送られる。安定化状態演算装置５は、安定化状態記憶装置４からの情報に基づき、突出部材２の最適なギャップ長、すなわち規定高さ距離を演算して決定し、突出部材高さ調整装置６によって突出部材２を適切な高さに調整する。これにより、光ディスクシート１の回転速度が変化した場合でも、適切な安定化状態に動的に移行することができる。
【００２６】
図３は突出部材２の下端形状が平面の場合の安定化状態を規定するデータ例を示す図である。突出部材２の形状と光ディスクシート１の物性が一定であれば、安定化状態は主に回転速度と規定高さ距離（最近接距離）の関数で表現される。しかし、この関数は非線形性が強いために直線で表すことができず、また一定の回転数以下では安定点が現れないなどの問題がある。そこで安定化状態記憶装置４には装置稼動範囲におけるデータを記憶しておく必要があり、その範囲におけるデータテーブルとして少なくとも２つのデータ項目が必要である。
【００２７】
図４は安定化状態記憶装置４に記憶させるデータテーブルの一例である。当然、光ディスクシート１の物性値と突出部材２の形状は一定であることが必要である。また、このデータテーブルにないデータは、該テーブルにおける付近のデータより補間して導出する。
【００２８】
図５は、本実施形態において、突出部材２における光ディスク半径方向の位置を制御するための移動手段である突出部材半径方向移動装置７を設けた構成を説明するための説明図である。安定化状態は光ディスクシート１の回転速度に依存するが、ディスク半径の中心付近と外周付近とでは回転速度が異なるので、安定化に必要な条件である、光ディスクシート１と突出部材２間のギャップ長も異なることになる。そこで、あらかじめこれらのパラメータの安定化条件を実験あるいは数値シミュレーションなどを行って定めておき、安定化状態記憶装置４に記憶させておく。そして、突出化部材２を突出部材半径方向移動装置７によって半径方向に移動させる場合に、安定化状態記憶装置４からの情報に基づき、最適安定化状態を安定化状態演算装置５にて演算して定める。これにより、光ディスクシート１の半径方向に突出部材２の位置が変化した場合でも、適切な安定化状態に移行することができる。
【００２９】
図６（ａ）〜（ｃ）に例示するように、安定化状態記憶装置４に記憶するデータテーブルとして、図４に示すデータテーブルに突出部材２における半径方向の位置に関するデータ項目が追加されることになる。
【００３０】
図７は、本実施形態において、突出部材２における光ディスクシート１との対向面側に感知手段である圧力センサ８を設けた構成を説明するための説明図であり、突出部材２の下端部に線状の感圧センサ８を設けている。そして、この感圧センサ８が、振動などの原因により光ディスクシート１に接触すると、感圧センサ８から検知された最大圧力データを圧力判定装置９に送り、圧力判定装置９では、その圧力データをあらかじめ設定されている閾値と比較し、閾値以上の圧力であれば退避手段である突出部材高さ調整装置６によって突出部材２を光ディスクシート１より退避させる。
【００３１】
前記感圧センサ８を設けたことにより、異常振動により突出部材２と光ディスクシート１が当接して、突出部材２あるいは光ディスクシート１が破損することを防ぐことができる。
【００３２】
図８は本実施形態における突出部材２を複数個設置した構成例を示す説明図であり、図１〜図７にて説明した部材に対応する部材には同一符号を付して詳しい説明は省略する。
【００３３】
図８において、光ディスクシート１に対して、２つの突出部材２，２を、光ディスクシート１の回転中心Ｏに対して互いに直交する方向に配置してある。このような設置にすることにより面ぶれの少ない安定化領域が、突出部材２，２の下面に対向した部位のみならず、突出部材２，２同士の中間点付近にも生じ、このため安定領域が増すことになり、これにより設計の自由度が増加する。さらに、これらの突出部材２，２は図１に示した突出部材高さ調整装置６を採用することによって、適切な安定化状態を保つようにギャップ長を制御することにより、より広範囲で、より適切な安定化状態が得られることになる。
【００３４】
なお、突出部材２の形状としては前記のように円柱状の形状をなす外、各種形状のものを採用することが可能であるが、図９に示す突出部材２´のように、内部をディスク回転軸方向Ｙに対して平行に中空２´ａにした中空筒体の構造を採用することができる。この場合、特にディスク回転方向に対して上流側の突出部材２´の近傍における正圧が顕著となり、突出部材２´の中空２´ａ部分は大気圧に開放されているため、本来、中空でなければ負圧が生じる部位において、本例では負圧は生じない。
【００３５】
突出部材２´を前記のような中空筒形状にすることで、特に反発力を高めることが可能となる。このため、例えば突出部材２´に対してディスク面方向に一定のテンションを与えることにより、過剰な反発力を抑制して適正な安定化を行うようにする手段を用いることが可能となる。
【００３６】
図９に示す構成の場合においても、既述した構成例と同様に、突出部材２´による安定化状態をあらかじめ安定化状態記憶装置４に記憶させておき、突出部材高さ調整装置６によって突出部材２´を適切な高さに調整するようにする。これにより、光ディスクシート１の回転速度が変化した場合でも、さらに適切な安定化状態に動的に移行することができ、かつ設計の自由度も大きくなる。
【００３７】
次に、図１０〜図１３を参照して、前記各構成の光ディスク駆動安定化装置を搭載して、光ディスクシートに対して記録／再生を行う本発明に係る光ディスク装置の実施形態を説明する。なお、以下の説明において、図１〜図９にて説明した部材に対応する部材には同一符号を付して詳しい説明は省略する。
【００３８】
図１０は光ディスク装置の第１実施形態の要部の概略構成を示す構成図であり、１０は、光ディスクシート１の記録面１ａに対して記録／再生を行うためレーザ光源（図示せず）からレーザ光を出射させ、また反射光を受光して再生処理を行わせるための光ピックアップユニット、１１は光ピックアップユニット１０をシーク制御するピックアップ駆動部、１２は光ディスクシート１を回転駆動するスピンドルモータ（図示せず）のスピンドルシャフトであって、既述した光ディスク駆動安定化装置における最下端に線状の感圧センサ８が設けられた突出部材２を、光ディスクシート１の基板１ｂ側に近接させている。
【００３９】
光ディスクシート１はスピンドルモータによってスピンドルシャフト１２を中心として一定回転数で回転し、光ディスクシート１における突出部材２の設置側とは反対面における面ぶれの少ない安定化領域において、光ピックアップユニット１０によって情報の記録／再生を行う。このようにして、安定的に記録／再生を行うことができる。
【００４０】
この際、光ディスクシート１の回転速度が変化することが想定される場合は、あらかじめ光ディスクシート１の回転速度，ギャップ長、光ディスクシート１の物性から決まる安定化状態を既述したと同様に安定化状態記録装置４に記憶させておく。光ディスクシート１の回転速度は動作状態によって変化するが、その回転速度は光ディスク回転速度検出装置３によって検知され、その情報が安定化状態演算装置５に送られる。安定化状態演算装置５は安定化状態記憶装置４からの情報に基づき、突出部材２の最適なギャップ高さを決定し、突出部材高さ調整装置６によって突出部材２を適切な高さに調整する。そして突出部材２の位置と、光ディスクシート１の回転速度とから安定化状態を演算し、動的に安定化状態に移行する。このようにして、安定的に記録／再生を行うことができる。
【００４１】
さらに、突出部材２に感圧センサ８を設け、振動などの原因により感圧センサ８が光ディスクシート１に接触すると、感圧センサ８から検知された最大圧力データを圧力判定装置９に送り、圧力判定装置９では、その圧力データをあらかじめ設定された閾値と比較し、閾値以上の圧力であれば突出部材高さ調整装置６によって突出部材２を光ディスクシート１より退避させ、突出部材２と光ディスクシート１が当接して、突出部材２あるいは光ディスクシート１が破損することを防いでいる。
【００４２】
図１１は光ディスク装置の第２実施形態の要部の概略構成を示す構成図であり、光ディスクシート１の半径方向において、線形にディスク回転速度が変化し、それに応じて安定化状態も変化する。そこで図５に示す構成例に基づいて説明したように、ディスク半径方向における突出部材２の位置に対する安定化条件を安定化状態記録装置４に記憶させておき、突出部材２が半径方向に移動した際に、突出部材半径方向移動装置７によって、適切に安定化状態に動的に移行させるようにすることにより、安定的に記録／再生を行うことができるようにしている。
【００４３】
図１２は光ディスク装置の第３実施形態の要部の概略構成を示す構成図であり、複数（図では２つを例示している）の突出部材２を回転方向に対して互いに４５°の角度で配置している。このような配置にしたことにより、図８に示す構成例に基づいて説明したように、安定的な面ぶれの少ない領域が突出部材の設置場所の中間近傍に生じるようになり、さらに光ディスクシート１の回転速度が変化した際には、光ディスク回転速度検出装置３，安定化状態記憶装置４，安定化状態演算装置５，安定化部材高さ調整装置６によって、２つの突出部材２を適切なギャップ長に制御して安定化状態を動的に創り出すことができる。
【００４４】
図１３は光ディスク装置の第４実施形態の要部の概略構成を示す構成図であり、この第４実施形態では中空筒状の突出部材２´を採用している。図９に示す構成例に基づいて説明したように、中空筒状の突出部材２´を採用すると反発力他の構成例よりも強く作用することになるため、例えば突出部材２´の上側を光ディスクシート１側に押しつけるようにテンションを加えるテンション発生装置１４を設け、過剰の反発力を抑制し、適切な安定を生み出す領域において駆動を行わせることができるようにしている。
【００４５】
【発明の効果】
以上説明したように、本発明によれば、突出部材と光ディスクとの接触圧力を感知する感知手段と、この感知手段により、あらかじめ設定されている閾値以上の接触圧力が感知された場合に、突出部材を光ディスク面から退避させる退避手段とを備えたことによって、異常振動などによって光ディスクと突出部材とが接触して破損を生じることを防ぐことができ、可撓性を有するシート状の光ディスクを安定した状態で回転駆動させることができるため、この種の光ディスクに対して信頼性のある回転駆動および記録／再生が行われることになる。
【図面の簡単な説明】
【図１】本発明に係る光ディスク駆動安定化装置の実施形態を説明するための基本構成を示す説明図
【図２】図１の光ディスク駆動安定化装置における側面一部を示す説明図
【図３】本発明に係る光ディスク駆動安定化装置の実施形態における突出部材の下端形状が平面の場合の安定化状態を規定するデータ例を示す図
【図４】本発明に係る光ディスク駆動安定化装置の実施形態における安定化状態記憶装置に記憶させるデータテーブルの一例を示す図
【図５】本発明に係る光ディスク駆動安定化装置の実施形態において突出部材半径方向移動装置を設けた構成を説明するための説明図
【図６】（ａ）〜（ｃ）は本光ディスク駆動安定化装置の実施形態における安定化状態記憶装置４に記憶するデータテーブルの例を示す図
【図７】本発明に係る光ディスク駆動安定化装置の実施形態において圧力センサを設けた構成を説明するための説明図
【図８】本発明に係る光ディスク駆動安定化装置の実施形態における突出部材を複数個設置した構成例を示す説明図
【図９】本発明に係る光ディスク駆動安定化装置の実施形態における突出部材を中空筒体の構造にした構成例を説明するための説明図
【図１０】本発明に係る光ディスク装置の第１実施形態における要部の概略構成を示す構成図
【図１１】本発明に係る光ディスク装置の第２実施形態における要部の概略構成を示す構成図
【図１２】本発明に係る光ディスク装置の第３実施形態における要部の概略構成を示す構成図
【図１３】本発明に係る光ディスク装置の第４実施形態における要部の概略構成を示す構成図
【符号の説明】
１  光ディスクシート
２，２´  突出部材
３  光ディスク回転速度検出装置
４  安定化状態記憶装置
５  安定化状態演算装置
６  突出部材高さ調整装置
７  突出部材半径方向移動装置
８  感圧センサ
９  圧力判定装置
１０  光ピックアップユニット
１１  ピックアップ駆動部
１２  スピンドルシャフト
１４  テンション発生装置
１５  回転軸
【図１】
0003911197.tif 000002
【図２】
0003911197.tif 000003
【図３】
0003911197.tif 000004
【図４】
0003911197.tif 000005
【図５】
0003911197.tif 000006
【図６】
0003911197.tif 000007
【図７】
0003911197.tif 000008
【図８】
0003911197.tif 000009
【図９】
0003911197.tif 000010
【図１０】
0003911197.tif 000011
【図１１】
0003911197.tif 000012
【図１２】
0003911197.tif 000013
【図１３】
0003911197.tif 000014